(57)【要約】【課題】加熱されても障子の戸尻側の部位に隙間が生じないように障子の変形を規制する建具を提供する。【解決手段】枠体と、前記枠体に対して開閉可能に移動する障子と、を有する建具であって、前記障子を閉じた際に当該障子の戸尻部と、当該戸尻框と見込み方向において対向する対向部と、のうちのいずれか一方を一方側部とし、他方を他方側部とし、前記一方側部に第１部材が設けられ、前記他方側部に第２部材が設けられ、前記第１部材は、前記障子の開閉移動に伴って前記第２部材に対して相対移動可能であり、前記障子を閉じた状態にて前記障子が加熱されることにより前記第１部材が変形して前記第２部材と係合したときに、前記相対移動が規制される。【選択図】図８
2015048600.tif 000002
【特許請求の範囲】
【請求項１】
枠体と、前記枠体に対して開閉可能に移動する障子と、を有する建具であって、
前記障子を閉じた際に当該障子の戸尻部と、当該戸尻框と見込み方向において対向する対向部と、のうちのいずれか一方を一方側部とし、他方を他方側部とし、
前記一方側部に第１部材が設けられ、
前記他方側部に第２部材が設けられ、
前記第１部材は、前記障子の開閉移動に伴って前記第２部材に対して相対移動可能であり、
前記障子を閉じた状態にて前記障子が加熱されることにより前記第１部材が変形して前記第２部材と係合したときに、前記相対移動が規制されることを特徴とする建具。
【請求項２】
請求項１に記載の建具であって、
前記障子を閉じた状態にて、
前記第１部材は、前記一方側部の見付け面と離間して配置される離間部と、
前記離間部から前記一方側部の見付け面に向かって延出された延出部と、を有し、
前記第２部材は、前記一方側部に向かって突出して前記離間部に配置される突出部を有し、
前記延出部は、見込み方向において前記突出部より前記他方側部側に位置しており、前記障子が加熱されることにより、前記相対移動を規制すべく見付け方向において当該第２部材と対向する位置に配置されるように前記第１部材が変形することを特徴する建具。
【請求項３】
請求項２に記載の建具であって、
前記第１部材は、一端が前記一方側部に固定され、他端に前記延出部が設けられた弾性変形可能な金属製の部材であり、
前記一方側部と前記延出部との間に、前記戸尻部、前記対向部、及び、前記第１部材より融点が低い隙間形成部材が介在されて弾性変形されており、前記第２部材は、前記第１部材と前記一方側部との間に配置されており、前記障子が加熱されることにより前記隙間形成部材が溶融されるとともに前記第１部材の弾性変形が復元されるべく変形することを特徴とする建具。
【請求項４】
請求項２に記載の建具であって、
前記第１部材は、一端が前記一方側部に固定され、他端に前記延出部が設けられた弾性変形可能な金属製の部材であり、
前記一方側部と前記延出部との間に、加熱発泡材が介在されて弾性変形されており、前記第２部材は、前記第１部材と前記一方側部との間に配置されており、前記障子が加熱されることにより前記加熱発泡材が発泡するとともに前記第１部材の弾性変形が復元されるべく変形することを特徴とする建具。
【請求項５】
請求項２に記載の建具であって、
前記第１部材は、一端が前記一方側部に固定され、他端に前記延出部が設けられ、線膨張係数が互いに異なる２種類の金属が積層された金属積層部材であり、
前記２種類の金属のうち、線膨張係数が小さい方の金属が、前記一方側部に、前記２種類の金属のうち、線膨張係数が大きい方の金属が、前記一方側部と反対側に配置されており、前記第２部材は、前記第１部材と前記一方側部との間に配置されており、前記障子が加熱されることにより前記金属積層部材が前記線膨張係数の相違により変形することを特徴とする建具。
【請求項６】
請求項１乃至請求項５のいずれかに記載の建具であって、
前記第１部材と前記第２部材とが係合することにより前記障子の面外方向への移動を規制することを特徴とする建具。
【請求項７】
請求項１乃至請求項６のいずれかに記載の建具であって、
前記戸尻部及び前記対向部には、互いに対向する方向に向かってそれぞれ突出された第１片の先端が、見付け方向において互いに反対方向に延出された第２片を各々備え、
前記障子を閉じた際に、前記対向部に設けられた前記第２片が、前記戸尻部に設けられた前記第２片に対し、前記対向部と反対側に位置して互いの前記第２片が見込み方向において重なるように配置された煙返しを備え、
前記障子が加熱されたときに、前記第１部材は、各々の前記第２片が見込み方向において重なっている状態で前記第２部材と係合することを特徴とする建具。
【発明の詳細な説明】
【技術分野】
【０００１】
本発明は、熱による障子の変形を規制する建具に関する。
【背景技術】
【０００２】
サッシ枠内をスライド移動可能に設けられた、例えば引き違い障子の戸先框内に戸先錠を備え、障子が閉じた状態で、戸先錠によりサッシ枠に係止される障子を備えたサッシが知られている(例えば、特許文献１参照)。このようなサッシの障子は、例えば、クレセント錠を備えた障子のように戸尻となる召合框より外側に錠が突出しないため、意匠性に優れている。
【先行技術文献】
【特許文献】
【０００３】
【特許文献１】特開２０１１−４２９３５号公報
【発明の概要】
【発明が解決しようとする課題】
【０００４】
しかしながら、戸先錠によりサッシ枠に係止される障子は、各々の召合框が対向すべき位置にて各召合せ框の見付け方向の位置が規制されていないので、火災などにより加熱された際に、框が熱により膨張するように変形し、横框が伸長すると、各々の召合框が見付け方向に移動する、或いは、召合せ框に反りが生じてしまう。このため、引き違い障子の召合せ部をなす障子の戸尻部分に隙間が生じてしまうおそれがあるという課題がある。
【０００５】
本発明は、かかる課題に鑑みてなされたものであり、その目的とするところは、加熱されても障子の戸尻側の部位に隙間が生じないように障子の変形を規制する建具を提供することにある。
【課題を解決するための手段】
【０００６】
かかる目的を達成するために本発明の建具は、枠体と、前記枠体に対して開閉可能に移動する障子と、を有する建具であって、前記障子を閉じた際に当該障子の戸尻部と、当該戸尻框と見込み方向において対向する対向部と、のうちのいずれか一方を一方側部とし、他方を他方側部とし、前記一方側部に第１部材が設けられ、前記他方側部に第２部材が設けられ、前記第１部材は、前記障子の開閉移動に伴って前記第２部材に対して相対移動可能であり、前記障子を閉じた状態にて前記障子が加熱されることにより前記第１部材が変形して前記第２部材と係合したときに、前記相対移動が規制されることを特徴とする建具である。
【０００７】
このような建具によれば、障子が閉じられた状態にて一方側部に設けられた第１部材は、障子が加熱されることにより伸長するように変形して第２部材と係合し、相対移動が規制されるので、障子が火災などにより加熱されたとしても、障子の戸尻部と対向部との間では大きなずれは生じない。このため、戸尻部と対向部との間に隙間が生じることを防止することが可能である。
【０００８】
また、第１部材は加熱されることにより変形して前記第２部材と係合可能となるので、加熱されなければ変形することはなく、第２部材は障子のスライドに伴って第１部材と相対移動可能である。このため、障子が加熱されないときには、障子を開閉可能にスライドすることが可能である。
【０００９】
かかる建具であって、前記障子を閉じた状態にて、前記第１部材は、前記一方側部の見付け面と離間して配置される離間部と、前記離間部から前記一方側部の見付け面に向かって延出された延出部と、を有し、前記第２部材は、前記一方側部に向かって突出して前記離間部に配置される突出部を有し、前記延出部は、見込み方向において前記突出部より前記他方側部側に位置しており、前記障子が加熱されることにより、前記相対移動を規制すべく見付け方向において当該第２部材と対向する位置に配置されるように前記第１部材が変形することが望ましい。
【００１０】
このような建具によれば、第１部材が有する延出部は、障子が加熱されることにより、相対移動を規制すべく見付け方向において第２部材と対向する位置に配置されるので、障子が加熱されて伸長するように変形する場合であっても、延出部が第２部材に接触して、障子の見付け方向への更なる変形が規制される。このため、障子の変形を抑えて、障子の戸尻部と対向部との間に隙間が生じることを防止することが可能である。
【００１１】
かかる建具であって、前記第１部材は、一端が前記一方側部に固定され、他端に前記延出部が設けられた弾性変形可能な金属製の部材であり、前記一方側部と前記延出部との間に、前記戸尻部、前記対向部、及び、前記第１部材より融点が低い隙間形成部材が介在されて弾性変形されており、前記第２部材は、前記第１部材と前記一方側部との間に配置されており、前記障子が加熱されることにより前記隙間形成部材が溶融されるとともに前記第１部材の弾性変形が復元されるべく変形することが望ましい。
【００１２】
このような建具によれば、一方側部に一端が固定された第１部材は、他端に設けられた延出部と一方側部との間に、隙間形成部材が介在されて弾性変形されているので、延出部を一方側部と間隔を隔てて配置しておくことが可能である。また、隙間形成部材は、戸尻部、対向部、及び、第１部材より融点が低いので、障子が加熱された際には溶融されて、延出部が一方側部に移動する。これにより、障子が加熱されて伸長するように変形する場合であっても、延出部と第２部材とが係合して、障子の見付け方向への更なる変形が規制される。このため、障子の変形を抑えて、障子の戸尻部と対向部との間に隙間が生じることを防止することが可能である。
【００１３】
かかる建具であって、前記第１部材は、一端が前記一方側部に固定され、他端に前記延出部が設けられた弾性変形可能な金属製の部材であり、前記一方側部と前記延出部との間に、加熱発泡材が介在されて弾性変形されており、前記第２部材は、前記第１部材と前記一方側部との間に配置されており、前記障子が加熱されることにより前記加熱発泡材が発泡するとともに前記第１部材の弾性変形が復元されるべく変形することとしてもよい。
【００１４】
このような建具によれば、一方側部に一端が固定された第１部材は、他端に設けられた延出部と一方側部との間に、加熱発泡材が介在されて弾性変形されているので、延出部を一方側部と間隔を隔てて配置しておくことが可能である。また、障子が加熱された際には、加熱発泡材が発泡して密度が低くなり脆くなるので、第１部材の弾性により延出部が一方側部に移動する。これにより、障子が加熱されて伸長するように変形する場合であっても、延出部と第２部材とが係合して、障子の見付け方向への変形が規制される。このため、障子の変形を抑えて、障子の戸尻部と対向部との間に隙間が生じることを防止することが可能である。
【００１５】
かかる建具であって、前記第１部材は、一端が前記一方側部に固定され、他端に前記延出部が設けられ、線膨張係数が互いに異なる２種類の金属が積層された金属積層部材であり、前記２種類の金属のうち、線膨張係数が小さい方の金属が、前記一方側部に、前記２種類の金属のうち、線膨張係数が大きい方の金属が、前記一方側部と反対側に配置されており、前記第２部材は、前記第１部材と前記一方側部との間に配置されており、前記障子が加熱されることにより前記金属積層部材が前記線膨張係数の相違により変形することとしてもよい。
【００１６】
このような建具によれば、一方側部に一端が固定された第１部材は、他端に設けられた延出部が、一方側部と間隔を隔てて配置されている。また、第１部材は、金属積層部材のうち、線膨張係数が小さい方の金属が一方側部に、線膨張係数が大きい方の金属が一方側部と反対側に配置されているので、障子が加熱された際には、線膨張係数の大きい方の金属が、線膨張係数の小さい方の金属より伸長することにより屈曲して、延出部が一方側部に移動する。これにより、障子が加熱されて伸長するように変形する場合であっても、延出部と第２部材とが係合して、障子の見付け方向への変形が規制される。このため、障子の変形を抑えて、障子の戸尻部と対向部との間に隙間が生じることを防止することが可能である。
【００１７】
かかる建具であって、前記戸尻部及び前記対向部には、互いに対向する方向に向かってそれぞれ突出された第１片の先端が、見付け方向において互いに反対方向に延出された第２片を各々備え、前記障子を閉じた際に、前記対向部に設けられた前記第２片が、前記戸尻部に設けられた前記第２片に対し、前記対向部と反対側に位置して互いの前記第２片が見込み方向において重なるように配置された煙返しを備え、前記障子が加熱されたときに、前記第１部材は、各々の前記第２片が見込み方向において重なっている状態で前記第２部材と係合することが望ましい。
【００１８】
このような建具によれば、第１部材は、障子が加熱されたときに、煙返しを構成する各々の第２片が見込み方向において重なっている状態で第２部材を係止する。このため、障子が加熱されて伸長するように変形する場合であっても、煙返しの各々の第２片が見込み方向において重なっている状態が維持される。よって、障子が加熱されたとしても、障子の戸尻側の部位に隙間が生じることをより確実に防止することが可能である。
【発明の効果】
【００１９】
本発明によれば、加熱されても障子の戸尻側の部位に隙間が生じないように障子の変形を規制する建具を提供することが可能である。
【図面の簡単な説明】
【００２０】
【図１】本実施形態に係る建具を備えた引き違い方式の建具を示す横断面図である。
【図２】内障子及び外障子との間に設けられた煙返しを示す横断面図である。
【図３】内障子において規制部材が設けられた召合框を示す斜視図である。
【図４】外障子においてピンが設けられた召合框を示す斜視図である。
【図５】隙間形成部材が溶融した後のピンと規制部材との関係を示す斜視図である。
【図６】隙間形成部材が介在されているピンと規制部材との関係を示す斜視図である。
【図７】建具の構成を示す横断面図である。
【図８】図８（ａ）は、規制部材とピンとが離れた状態を示す横断面図であり、図８（ｂ）は、ピンが規制部材の切欠部入り込む状態を示す横断面図であり、図８（ｃ）は、内障子と外障子の戸先部が係止されたときの規制部材とピンの状態を示す横断面図であり、図８（ｄ）は、隙間形成部材が溶融した後の規制部材とピンの状態を示す横断面図である。
【発明を実施するための形態】
【００２１】
以下、本発明の一実施形態に係る建具について図面を参照して説明する。  
本実施形態では、建具を備えた引き違い方式の建具を例に挙げて説明する。
【００２２】
以下の説明においては、躯体に取り付けられた建具を室内側から見たときに、上下となる方向を上下方向、左右となる方向を左右方向、後述する召合框および戸尻框の見付け幅をあらわす方向を見付け方向、室内外方向である奥行き方向を見込み方向として示す。また、建具を構成する各部材については、単体として説明する場合であっても、建具が躯体に取り付けられた状態で上下方向、見付け方向、見込み方向等となる方向にて方向を特定して説明する。
【００２３】
本実施形態の建具は、図１に示すように、枠体２により形成されている開口２ａを開閉可能に見付け方向にスライドする内障子３と外障子４とが設けられている引き違い方式の建具(以下、単に建具という)１である。
【００２４】
内障子３及び外障子４は、いずれも矩形状の複層ガラス５の周縁部を収容するように複層ガラス５の四方に設けられた上框（不図示）、下框６、枠体２に当接される戸先部としての戸先框７、及び、召合框をなす戸尻部としての戸尻框８（３８、４８）が框組みされた框体９を有している。
【００２５】
上框（不図示）、下框６、戸先框７、及び、戸尻框８（３８、４８）は、いずれもアルミニウム製の押出成形部材であり、各々長手方向に貫通する中空部７ａ、８ａを有しており、中空部７ａ、８ａ内には、断面がコ字状をなす鉄製の補強部材１０がほぼ全長に渡って設けられている。
【００２６】
また、戸先框７の中空部７ａ内には、内障子３及び外障子４を閉じた状態にて、戸先框７が当接される枠体２の部位と係合して内障子３及び外障子４を係止する戸先錠１１が設けられている。
【００２７】
本建具１において障子の変形規制構造は、内障子３の戸尻框３８と外障子４の戸尻框４８との間、すなわち、内障子３と外障子４との召合せ部の、上下方向における中央に設けられている。本実施形態の建具１は、引き違い方式なので、内障子３及び外障子４のいずれか一方が、開口２ａを閉じた状態で戸先框(戸先部)７が係止される障子に相当し、また、内障子３の戸尻框３８及び外障子４の戸尻框４８のうちのいずれか他方は、障子の戸先が係止された状態にて戸尻部と見込み方向において対向する対向部に相当する。
【００２８】
内障子３の戸尻框３８と外障子４の戸尻框４８とが対向する召合せ部に、図２に示すように煙返し１３が設けられている。
【００２９】
煙返し１３は、内障子３の戸尻框３８と外障子４の戸尻框４８に、それぞれ互いに対向する方向に向かってそれぞれ突出された第１片３８ａ、４８ａを有し、第１片３８ａ、４８ａの先端が、見付け方向において互いに反対方向に延出された第２片３８ｂ、４８ｂが、戸尻框３８、４８の長手方向のほぼ全長に渡って各々設けられて形成されている。すなわち、内障子３及び外障子４を閉じた状態の内障子３の戸尻框３８には、外障子４の戸尻框４８に向かって突出された第１内片３８ａを有し、第１内片３８ａの先端から見付け方向において内障子３の戸先側に延出された第２内片３８ｂが設けられている。
【００３０】
内障子３及び外障子４を閉じた状態の外障子４の戸尻框４８には、内障子３の戸尻框３８に向かって突出された第１外片４８ａを有し、第１外片４８ａの先端から見付け方向において外障子４の戸先側に延出された第２外片４８ｂが設けられている。内障子３の戸尻框３８の第１内片３８ａ及び第２内片３８ｂと、外障子４の戸尻框４８の第１外片４８ａ及び第２外片４８ｂとは、内障子３及び外障子４を閉じた際に、外障子４の戸尻框４８に設けられた第２外片４８ｂが、内障子３の戸尻框３８に設けられた第２内片３８ｂより内障子３側に位置し、第２内片３８ｂと第２外片４８ｂとが見込み方向において重なるように配置されている。
【００３１】
また、外障子４の戸尻框４８には、第２外片４８ｂより戸尻側に、軟質合成樹脂製のシール材１２が、戸尻框４８の長手方向のほぼ全長に渡って内障子３の戸尻框３８に接触するように設けられている。
【００３２】
本建具１において障子の変形規制構造は、図３、図４に示すように、内障子３の戸尻框３８の第１内片３８ａ及び第２内片３８ｂと、外障子４の戸尻框４８の第１外片４８ａ及び第２外片４８ｂとの一部を切除して設けられている。また、内障子３の戸尻框３８において外障子４の戸尻框４８と対向し、規制部材２０が固定されている面には、規制部材２０の上下に、戸尻框３８に沿って加熱発泡材３０が設けられている。また、外障子４の戸尻框４８おいて内障子３の戸尻框３８と対向しピン２１が設けられている面には、戸尻框４８の見付け方向において第２外片４８ｂと反対側に偏らせ、戸尻框４８に沿って加熱発泡材３０が設けられている。尚、図中では、規制部材２０及びピン２１が設けられている位置にて上下に分割した加熱発泡材３０を設けた例を示しているが、規制部材２０及びピン２１を避けていれば、内障子３及び外障子４の戸尻框３８、４８の全長にわたるように設けても、また、上下の加熱発泡材３０間を繋ぐように設けてもよい。
【００３３】
本実施形態の障子の変形規制構造は、内障子３の戸尻框３８の第１内片３８ａ及び第２内片３８ｂを切除した部位に配置された第１部材としての規制部材２０と、外障子４の戸尻框４８の第１外片４８ａ及び第２外片４８ｂを切除した部位に配置された金属製の第２部材としてのピン２１と、規制部材２０と内障子３の戸尻框３８との間に介在される隙間形成部材２２と、を有している。
【００３４】
規制部材２０は、弾性変形可能な金属製の板ばねにて形成されており、２つの壁部２０ａ、２０ｂがほぼ直交して水平断面がほぼＬ字状をなしている。Ｌ字状をなす２つの壁部２０ａ、２０ｂのうちの一方は、一端が内障子３の戸尻框３８に固定される固定壁部２０ａであり、固定壁部２０ａの他端がＬ字状に折り曲げて形成され、ピン２１と係合する延出部としての規制壁部２０ｂである。
【００３５】
固定壁部２０ａは、一端側が戸尻框３８の、外障子４の戸尻框４８と対向する面における、切除した第１内片３８ａより戸尻側に当接され、他端側が切除した第１内片３８ａより戸先側に突出するように配置されて、中空部８ａ内に設けられた補強部材１０にビス止めされている。また、固定壁部２０ａの他端側には、上下方向における中央に、規制壁部２０ｂから繋がって見付け方向に沿って切り欠かれたＵ字状の切欠部２０ｃが設けられている。このため、規制壁部２０ｂは、切欠部２０ｃを挟んで上下２つに分かれている。
【００３６】
内障子３の戸尻框３８は、第１内片３８ａ及び第２内片３８ｂの一部を切除している為、切除した部位においては、第１内片３８ａより見付け方向の戸先側は、見込み方向において外障子４と反対側に窪んでいる。このため、規制部材２０の固定壁部２０ａから折り曲げられた規制壁部２０ｂを有する規制部材２０が、単に第１内片３８ａの戸尻側にビス止めされると、図５に示すように、規制壁部２０ｂが窪みに配置されて、規制部材２０の固定壁部２０ａは平坦になる。このとき、戸尻框３８との間に空隙Ｓを備えて配置される固定壁部２０ａが離間部に相当する。
【００３７】
本実施形態の規制部材２０は、図６に示すように、規制壁部２０ｂと内障子３の戸尻框３８との間に隙間形成部材２２が設けられ、介在された隙間形成部材２２の厚み分弾性変形している。隙間形成部材２２は、戸尻框３８、４８、規制部材２０、ピン２１より溶融温度が低い、例えば合成樹脂製のブロックである。隙間形成部材２２は、切欠部２０ｃを挟んで上側の規制壁部２０ｂ及び下側の規制壁部２０ｂと戸尻框３８との間にそれぞれ介在されている。
【００３８】
隙間形成部材２２の上下方向の長さは、上側の規制壁部２０ｂ及び下側の規制壁部２０ｂの上下方向の長さより短い。そして、上側の規制壁部２０ｂと戸尻框３８との間に介在される隙間形成部材２２は、上側の規制壁部２０ｂの下端、すなわち、切欠部２０ｃの上縁より上方に位置するように配置され、下側の規制壁部２０ｂと戸尻框３８との間に介在される隙間形成部材２２は、下側の規制壁部２０ｂの上端、すなわち、切欠部２０ｃの下縁より下方に位置するように配置されて戸尻框３８に接着されている。このため、上側の隙間形成部材２２の下端と下側の隙間形成部材２２の上端との間隔Ｌ１は、切欠部２０ｃの上下方向の幅Ｌ２より広く設けられている。
【００３９】
また、隙間形成部材２２の見付け方向の幅Ｗ１は、図７に示すように、規制部材２０の規制壁部２０ｂの見付け方向の幅Ｗ２、すなわち、規制部材２０を形成している板材の厚みより十分広く形成されている。隙間形成部材２２は、規制壁部２０ｂが隙間形成部材２２の内障子３の戸尻側の縁部近傍にて当接されるように、規制壁部２０ｂより内障子３の戸先側に偏らせて配置されている。
【００４０】
ピン２１は、図６に示すように、内障子３及び外障子４を閉じた状態で、規制部材２０に設けられた切欠部２０ｃに入り込み、内障子３及び外障子４の開閉操作の際に、切欠部２０ｃに沿って、規制部材２０と相対移動可能に設けられている。
【００４１】
ピン２１は、一端側に外障子４の戸尻框４８が有する中空部８ａ内に設けられた補強部材１０に固定された固定金具１４（図７）に固定するためのねじ部２１ａが形成され、ねじ部２１ａと繋がった細軸部２１ｂと、細軸部２１ｂと繋がった他端側に突出部としての太軸部２１ｃとを有している。
【００４２】
細軸部２１ｂの直径Ｄ１は、切欠部２０ｃの上下方向の幅より小さく形成されており、太軸部２１ｃの直径Ｄ２は、切欠部２０ｃの上下方向の幅Ｌ２より大きく、且つ、上側の隙間形成部材２２の下端と下側の隙間形成部材２２の上端との間隔Ｌ１より小さく形成されている。
【００４３】
ピン２１は、ねじ部２１ａが固定金具１４に螺合されて固定された状態で、太軸部２１ｃが、戸尻框３８との間に隙間形成部材２２が介在された規制壁部２０ｂの先端より戸尻側に位置するように形成されている。また、太軸部２１ｃの見込み方向の厚みｔ１は、隙間形成部材２２が介在された規制壁部２０ｂの先端と隙間形成部材２２が接着されている戸尻框３８の面との間隔、すなわち、隙間形成部材２２の厚みｔ２より薄く形成されている。
【００４４】
このため、規制部材２０と内障子３の戸尻框３８との間に隙間形成部材２２が介在されている状態では、ピン２１と規制部材２０とは係合しないので、図８（ａ）〜図８（ｃ）に示すように、内障子３及び外障子４は、見付け方向にスライドして開口２ａを開閉自在である。
【００４５】
内障子３及び外障子４が閉じた状態、すなわち、内障子３及び外障子４の戸先框７が枠体２に係止されて障子を閉じた状態は、ピン２１の細軸部２１ｂが規制部材２０の切欠部２０ｃに入り込み、太軸部２１ｃが規制部材２０の固定壁部２０ａより内障子３側に位置している。
【００４６】
障子を閉じた状態で、火災などにより内障子３及び外障子４が加熱されると、召合せ部においては、戸尻框３８、４８、規制部材２０、ピン２１より溶融温度が低い隙間形成部材２２が溶融し始める。このとき、規制壁部２０ｂは、隙間形成部材２２の縁部近傍にて当接されているので、より早く溶融し始める。また、このとき、隙間形成部材２２が介在されることにより弾性変形されている規制部材２０は、溶融して軟化した隙間形成部材２２を、規制部材２０が復元する弾性力により押圧し、図８（ｄ）に示すように、規制部材２０の固定壁部２０ａが平坦になるように変形する。すなわち、規制部材２０は、規制壁部２０ｂがピン２１の相対移動を規制すべく見付け方向において当該ピン２１と対向する位置に配置されるように変形し、ピン２１と係合可能な状態となる。
【００４７】
規制部材２０が変形するときには、内障子３または外障子４、或いは、内障子３と外障子４とが共に加熱されているので、アルミニウム製の上框、下框６、戸先框７、及び、戸尻框８は伸長するように変形する。特に、戸先框７が係止された内障子３及び外障子４は、上框および下框６が伸長すると、戸尻框３８、４８が戸先から離れる方向に移動する。しかしながら、上框および下框６が伸長して戸尻框３８、４８が移動するときに、外障子４の戸尻框４８に設けられたピン２１が、規制部材２０の規制壁部２０ｂと係合して規制されることにより、戸尻框３８、４８は移動できず、上框および下框６の更なる変形が規制される。
【００４８】
このとき、隙間形成部材２２は、溶融して全く存在しない状態とならなくとも、規制部材２０の規制壁部２０ｂがピン２１の太軸部２１ｃと係合可能な位置に移動する程度以上の溶融がなされれば構わない。
【００４９】
また、規制部材２０の規制壁部２０ｂがピン２１の太軸部２１ｃと係合可能な状態では、ピン２１の太軸部２１ｃが規制部材２０の固定壁部２０ａより内障子３側に位置しているので、ピン２１が設けられている外障子４の戸尻框４８は、室外側への移動も規制されている。
【００５０】
本実施形態の障子の変形規制構造によれば、障子を閉じた状態にて内障子３の戸尻框３８に設けられた規制部材２０は、内障子３及び外障子４が加熱されることにより伸長するように変形してピン２１と係合し、その後の内障子３及び外障子４の変形が規制されるので、内障子３及び外障子４が火災などにより加熱されたとしても、内障子３の戸尻框３８と外障子４の戸尻框４８との間には大きなずれは生じないので隙間が生じることを防止することが可能である。
【００５１】
また、内障子３の戸尻框３８に一端が固定された規制部材２０は、他端に設けられた規制壁部２０ｂと、当該規制部材２０が設けられている内障子３の戸尻框３８間に、隙間形成部材２２が介在されて弾性変形されているので、規制壁部２０ｂを規制部材２０が設けられている内障子３の戸尻框３８と間隔を隔てて配置しておくことが可能である。
【００５２】
そして、規制部材２０は内障子３及び外障子４が加熱されたときに隙間形成部材２２も加熱されて溶融することにより変形してピン２１と係合可能となるので、隙間形成部材２２が加熱されなければ変形することはなく、ピン２１は、内障子３及び外障子４のスライドに伴って規制部材２０と相対移動可能である。このため、内障子３及び外障子４が加熱されないときには、内障子３及び外障子４を開閉可能にスライドすることが可能である。
【００５３】
このとき、隙間形成部材２２は、内障子３及び外障子４の戸尻框３８、４８、及び、規制部材２０より融点が低いので、内障子３及び外障子４が加熱された際には溶融されて、規制壁部２０ｂが、規制部材２０が設けられている戸尻框３８側に移動する。すなわち、規制部材２０が有する規制壁部２０ｂは、内障子３及び外障子４が加熱されることにより、ピン２１の相対移動を規制すべく見付け方向においてピン２１と対向する位置に配置される。これにより、内障子３及び外障子４が加熱されて伸長するように変形する場合であっても、規制壁部２０ｂとピン２１とが係合して、内障子３及び外障子４の見付け方向への伸長が規制される。このため、内障子３及び外障子４の変形を抑えて、内障子３及び外障子４の召合せ部に隙間が生じることを防止することが可能である。
【００５４】
また、規制部材２０の規制壁部２０ｂがピン２１の太軸部２１ｃと係合可能な状態では、ピン２１の太軸部２１ｃが規制部材２０の固定壁部２０ａより内障子３側に位置しているので、外障子４の戸尻框４８の室外側への移動も規制されている。このため、内障子３及び外障子４が加熱されて各々の戸尻框３８、４８に反りが生じる、或いは、外障子４が載置されている枠体２の下側が加熱されて軟化して下がり始めても、内障子３及び外障子４の召合せ部に隙間が生じることを防止することが可能である。
【００５５】
また、障子を閉じた状態では、煙返し１３をなす内障子３の戸尻框３８の第２内片３８ｂと外障子４の第２外片４８ｂとが見込み方向において重なっている。このため、たとえ内障子３及び外障子４が加熱されても、規制部材２０とピン２１とが係合して内障子３及び外障子４の変形が規制される場合には、煙返し１３の第２内片３８ｂと第２外片４８ｂが見込み方向において重なっている状態が維持される。このため、内障子３及び外障子４が加熱されたとしても、内障子３及び外障子４の戸尻框３８、４８間に隙間が生じることをより確実に防止することが可能である。
【００５６】
上記実施形態においては、隙間形成部材２２を、戸尻框３８、４８、規制部材２０、ピン２１より溶融温度が低い合成樹脂製のブロックとしたが、これに限るものではない。たとえば、内障子３の戸尻框３８及び外障子４の戸尻框４８に設けた加熱発泡材３０と同様の、加熱されて発泡する熱膨張性黒鉛などの加熱発泡材であっても構わない。この場合には、加熱されて発泡すると、加熱発泡材の発泡した部位は密度が低く脆くなる。このとき、加熱発泡材が介在されて弾性変形されている規制部材２０の弾性力により、加熱発泡材が規制壁部２０ｂに押しつぶされることにより、規制部材２０の規制壁部２０ｂが戸尻框３８側に移動する。これにより、内障子３及び外障子４が加熱されて伸長するように変形する場合であっても、規制壁部とピン２１とが係合して、内障子３及び外障子４の見付け方向への変形が規制される。このため、内障子３及び外障子４の変形を抑えて、内障子３及び外障子４の召合せ部に隙間が生じることを防止することが可能である。
【００５７】
また、上記実施形態においては、障子を閉じた状態にて内障子３及び外障子４が加熱されることにより、隙間形成部材２２が溶融または発泡して、隙間形成部材２２により弾性変形されていた規制部材２０の弾性変形が復元すべく変形して、ピン２１と係合可能となる例について説明したが、これに限るものではない。たとえば、規制部材を、線膨張係数が互いに異なる２種類の金属が積層された金属積層部材とし、線膨張係数が小さい方の金属が、当該規制部材が設けられている内障子３の戸尻框３８側に、線膨張係数が大きい方の金属が、外障子４の戸尻框４８側に配置されるように形成しておいてもよい。この場合には、内障子３及び外障子４が加熱された際には、線膨張係数が大きい方の金属が、線膨張係数が小さい方の金属より伸長することにより、２種類の金属でなる規制部材が屈曲して、規制壁部が、内障子３の戸尻框３８側に移動する。これにより、内障子３及び外障子４が加熱されて伸長するように変形する場合であっても、規制壁部とピン２１とが係合して、内障子３及び外障子４の見付け方向への変形が規制される。このため、内障子３及び外障子４の変形を抑えて、内障子３及び外障子４の召合せ部に隙間が生じることを防止することが可能である。
【００５８】
上記実施形態においては、障子のスライドに伴って規制部材２０と相対移動可能な第２部材をピン２１としたが、これに限るものではない。たとえば、外障子４の戸尻框４８に固定される固定部と、固定部の端から内障子側にのび切欠部２０ｃに挿通される挿通部と、挿通部の先端から延出されて規制部材２０の固定壁部２０ａの内障子側に位置される内壁部とがコ字状をなし、加熱されて変形した規制部材２０の規制壁部２０ｂと内壁部とが係合可能となる構成であっても構わない。
【００５９】
上記実施形態においては、規制部材２０を内障子３の戸尻框３８に、ピン２１を外障子４の戸尻框４８に設けた、障子の変形規制構造を例に挙げて説明したが、規制部材２０を外障子４の戸尻框４８に、ピン２１を内障子３の戸尻框３８に設けても構わない。
【００６０】
また、上記実施形態においては、引き違い方式の建具を例に挙げて説明したが、これに限らず、複数枚の引き戸障子が設けられている建具であっても構わない。また、引き戸をなす障子の戸尻框と、この戸尻框と対向する、例えば、ＦＩＸ窓を構成する縦骨や壁面との間に設けられていてもよい。また、障子のスライド方向は、左右方向に限らず、上下方向であっても構わない。スライド方向が上下方向の建具では、召合框および戸尻框は長手方向が左右方向である横框となり、その際の見付け方向は上下方向となる。
【００６１】
上記実施形態によれば、水平断面がＬ字状の上下方向の中央にＵ字状の切欠部２０ｃを形成してピース部材としての規制部材２０を例に挙げて説明したが、これに限らず、一対の水平断面がほぼＬ字状の規制部材の間に、前記実施例の切欠き２０ｃの上下方向の幅Ｌ２にあたる間隔あけて補強部材１０にビス止めした規制部材としてもよい。この場合、Ｕ字状の切欠を形成する為のプレス加工等が不要となる。
【００６２】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６３】
１  建具、２ａ  開口、３  内障子、４  外障子、７  戸先框、８  戸尻框、
８ａ  中空部、１３  煙返し、２０  規制部材、２０ａ  固定壁部、
２０ｂ  規制壁部、２０ｃ  切欠部、２１  ピン、２１ｂ  細軸部、２１ｃ  太軸部、
２２  隙間形成部材、３８  内障子の戸尻框、３８ａ  第１内片、
３８ｂ  第２内片、４８  外障子の戸尻框、４８ａ  第１外片、
４８ｂ  第２外片、Ｓ  空隙
【図１】
2015048600.tif 000003
【図２】
2015048600.tif 000004
【図３】
2015048600.tif 000005
【図４】
2015048600.tif 000006
【図５】
2015048600.tif 000007
【図６】
2015048600.tif 000008
【図７】
2015048600.tif 000009
【図８】
2015048600.tif 000010